(57)【要約】【課題】ユーザに予め決められた動作モードにあることを認識させる。【解決手段】点灯可能なモード報知用画素であって、予め決められたモードであることを報知するモード報知用画素を複数有する表示部４２と、点灯させるモード報知用画素を異なる画素に順次切り替えて表示するよう表示部４２を制御する制御部３０と、を備える。【選択図】図１
2013024830.tif 000002
【特許請求の範囲】
【請求項１】
点灯可能なモード報知用画素であって、予め決められたモードであることを報知するモード報知用画素を複数有する表示部と、
点灯させる前記モード報知用画素を異なる画素に順次切り替えて表示するよう前記表示部を制御する制御部と、
を備えることを特徴とする電子機器。
【請求項２】
前記モード報知用画素は、前記表示部の外周部に位置することを特徴とする請求項１に記載の電子機器。
【請求項３】
前記モード報知用画素は、前記表示部の外周部および中央部に位置することを特徴とする請求項２に記載の電子機器。
【請求項４】
前記制御部は、外周部に位置するモード報知用画素と中央部に位置するモード報知用画素とを順次切り替えて点灯させることを特徴とする請求項３に記載の電子機器。
【請求項５】
前記制御部は、前記予め決められたモードの場合、前記表示部に表示されている情報を消し、点灯する前記モード報知用画素を異なる画素に順次切り替えて表示するよう前記表示部を制御することを特徴とする請求項１から請求項４のいずれか一項に記載の電子機器。
【請求項６】
前記予め決められたモードとは、低消費電力モードであることを特徴とする請求項１から請求項５のいずれか一項に記載の電子機器。
【請求項７】
照射された光のエネルギーを電力に変換する太陽電池と、
前記太陽電池により発電された発電量を検出する検出部と、
を備え、
前記制御部は、前記発電量または該発電量が予め定められた第１の所定値未満となってからの経過時間に基づいて、前記低消費電力モードと判定し、前記表示部の予め決められた領域の画素を消灯状態にすることを特徴とする請求項６に記載の電子機器。
【請求項８】
前記制御部は、前記検出された発電量に応じて、同時に点灯させる前記モード報知用画素の数を変更することを特徴とする請求項７に記載の電子機器。
【請求項９】
前記制御部は、前記検出された発電量が予め決められた第２の所定値未満となった場合、発電量が該第２の所定値以上の場合に同時に点灯するモード報知用画素の数より、同時に点灯させるモード報知用画素の数を減らすことを特徴とする請求項８に記載の電子機器。
【請求項１０】
前記制御部は、前記検出された発電量に応じて、点灯させる前記モード報知用画素の切り替え時間間隔を変更することを特徴とする請求項７から請求項９のいずれか一項に記載の電子機器。
【請求項１１】
前記制御部は、前記検出された発電量が予め決められた第２の所定値未満となった場合、発電量が第２の所定値以上の場合の切り替え時間間隔より、点灯させるモード報知用画素の切り替え時間間隔を長くすることを特徴とする請求項１０に記載の電子機器。
【請求項１２】
前記制御部は、前記検出された発電量が予め定められた第３の所定値未満の場合、前記モード報知用画素を点灯していない状態にすることを特徴とする請求項１０に記載の電子機器。
【請求項１３】
前記制御部は、現在の時刻を計測し、該計測した時刻に応じて、同時に点灯させる前記モード報知用画素の数を変更することを特徴とする請求項１から請求項１２のいずれか一項に記載の電子機器。
【請求項１４】
前記制御部は、予め決められた第２の時間帯になった場合、該第２の時間帯とは異なる第１の時間帯の場合における前記モード報知用画素の数より、前記第２の時間帯の場合における前記モード報知用画素を少なくすることを特徴とする請求項１３に記載の電子機器。
【請求項１５】
前記制御部は、現在の時刻を計測し、該計測した時刻に応じて、点灯させる前記モード報知用画素の切り替え時間間隔を変更することを特徴とする請求項１から請求項１４のいずれか一項に記載の電子機器。
【請求項１６】
前記制御部は、予め決められた第２の時間帯になった場合、該第２の時間帯とは異なる第１の時間帯の場合における前記切り替え時間間隔より、前記第２の時間帯の場合における前記切り替え時間間隔を長くすることを特徴とする請求項１５に記載の電子機器。
【請求項１７】
前記点灯させるモード報知用画素の切替順序の入力を受け付ける入力部と、
前記制御部は、前記受け付けた点灯画素の切替順序に基づいて、前記点灯させるモード報知用画素を順次切り替えて表示するよう前記表示部を制御することを特徴とする請求項１から請求項１６のいずれか一項に記載の電子機器。
【請求項１８】
前記第１の時間帯と前記第２の時間帯との入力を受け付ける入力部と、
前記制御部は、前記入力された第１の時間帯と第２の時間帯とに基づいて、前記点灯させる前記モード報知用画素の切り替え時間間隔を変更することを特徴とする請求項１から請求項１７のいずれか一項に記載の電子機器。
【請求項１９】
請求項１に記載の電子機器を備えることを特徴とする電子時計。
【請求項２０】
点灯可能なモード報知用画素であって、予め決められたモードであることを報知するモード報知用画素を複数有する表示部を備える電子機器が実行する表示制御方法であって、
点灯させるモード報知用画素を異なる画素に順次切り替えて表示するよう前記表示部を制御する制御手順を有することを特徴とする表示制御方法。
【請求項２１】
点灯可能なモード報知用画素であって、予め決められたモードであることを報知するモード報知用画素を複数有する表示部を備える電子機器のコンピュータに、
点灯させるモード報知用画素を異なる画素に順次切り替えて表示するよう前記表示部を制御する制御ステップを実行させるための表示制御プログラム。
【発明の詳細な説明】
【技術分野】
【０００１】
本発明は、電子機器、電子時計、表示制御方法および表示制御プログラムに関する。
【背景技術】
【０００２】
従来から、通常モードと低消費電力モードを備える液晶ディスプレイ（Ｌｉｑｕｉｄ  Ｃｒｙｓｔａｌ  Ｄｉｓｐｌａｙ、以下、ＬＣＤと称する）を用いたデジタル表示式の電子時計が知られている。このような、デジタル表示の時計において、ＬＣＤによる電力消費は、無視できない。
【０００３】
そこで、従来の電子時計は、低消費電力モードにおいてＬＣＤによる表示を消し、またＬＣＤ駆動回路の電源をＯＦＦとし、消費電力を削減している。但し、ＬＣＤの表示を全て消してしまうと、使用者に対し時計が壊れたと誤解を与えてしまう可能性があるため、従来の電子時計は、ＬＣＤの一部分に、マークやドット表示でＬＣＤを消している旨の告知表示を行っていた。
【０００４】
例えば、特許文献１では、電子時計が指定領域のみ、ＬＣＤ駆動信号を出力させる駆動方式を行えば、告知マーク部分のＬＣＤの消費電力のみですむために低消費化には非常に有効となる。また、告知マークの面積を小さくすればするほど、低消費化が図れる。
【先行技術文献】
【特許文献】
【０００５】
【特許文献１】特開平５−９４１５８号公報
【発明の概要】
【発明が解決しようとする課題】
【０００６】
しかしながら、告知マークを小さくしてしまった場合、ユーザが告知マークを認識しにくいため、ユーザが低消費電力モードにあることが分からず、故障していると誤解してしまうという問題がある
【０００７】
そこで本発明は、上記問題に鑑みてなされたものであり、ユーザに予め決められた動作モードにあることを認識させることを可能とする電子機器、電子時計、表示制御方法および表示制御プログラムを提供することを課題とする。
【課題を解決するための手段】
【０００８】
本発明は、上記課題に鑑みなされたものであり、本発明の一態様は、点灯可能なモード報知用画素であって、予め決められたモードであることを報知するモード報知用画素を複数有する表示部と、点灯させる前記モード報知用画素を異なる画素に順次切り替えて表示するよう前記表示部を制御する制御部と、を備えることを特徴とする電子機器である。
【０００９】
本発明の一態様は、上記電子機器において、前記モード報知用画素は、前記表示部の外周部に位置することを特徴とする。
【００１０】
本発明の一態様は、上記電子機器において、前記モード報知用画素は、前記表示部の外周部および中央部に位置することを特徴とする。
【００１１】
本発明の一態様は、上記電子機器において、前記制御部は、外周部に位置するモード報知用画素と中央部に位置するモード報知用画素とを順次切り替えて点灯させることを特徴とする。
【００１２】
本発明の一態様は、上記電子機器において、前記制御部は、前記予め決められたモードの場合、前記表示部に表示されている情報を消し、点灯する前記モード報知用画素を異なる画素に順次切り替えて表示するよう前記表示部を制御することを特徴とする。
【００１３】
本発明の一態様は、上記電子機器において、前記予め決められたモードとは、低消費電力モードであることを特徴とする。
【００１４】
本発明の一態様は、上記電子機器において、照射された光のエネルギーを電力に変換する太陽電池と、前記太陽電池により発電された発電量を検出する検出部と、を備え、前記制御部は、前記発電量または該発電量が予め定められた第１の所定値未満となってからの経過時間に基づいて、前記低消費電力モードと判定し、前記表示部の予め決められた領域の画素を消灯状態にすることを特徴とする。
【００１５】
本発明の一態様は、上記電子機器において、前記制御部は、前記検出された発電量に応じて、同時に点灯させる前記モード報知用画素の数を変更することを特徴とする。
【００１６】
本発明の一態様は、上記電子機器において、前記制御部は、前記検出された発電量が予め決められた第２の所定値未満となった場合、発電量が該第２の所定値以上の場合に同時に点灯するモード報知用画素の数より、同時に点灯させるモード報知用画素の数を減らすことを特徴とする。
【００１７】
本発明の一態様は、上記電子機器において、前記制御部は、前記検出された発電量に応じて、点灯させる前記モード報知用画素の切り替え時間間隔を変更することを特徴とする。
【００１８】
本発明の一態様は、上記電子機器において、前記制御部は、前記検出された発電量が予め決められた第２の所定値未満となった場合、発電量が第２の所定値以上の場合の切り替え時間間隔より、点灯させるモード報知用画素の切り替え時間間隔を長くすることを特徴とする。
【００１９】
本発明の一態様は、上記電子機器において、前記制御部は、前記検出された発電量が予め定められた第３の所定値未満の場合、前記モード報知用画素を点灯していない状態にすることを特徴とする。
【００２０】
本発明の一態様は、上記電子機器において、前記制御部は、現在の時刻を計測し、該計測した時刻に応じて、同時に点灯させる前記モード報知用画素の数を変更することを特徴とする。
【００２１】
本発明の一態様は、上記電子機器において、前記制御部は、予め決められた第２の時間帯になった場合、該第２の時間帯とは異なる第１の時間帯の場合における前記モード報知用画素の数より、前記第２の時間帯の場合における前記モード報知用画素を少なくすることを特徴とする。
【００２２】
本発明の一態様は、上記電子機器において、前記制御部は、現在の時刻を計測し、該計測した時刻に応じて、点灯させる前記モード報知用画素の切り替え間隔を変更することを特徴とする。
【００２３】
本発明の一態様は、上記電子機器において、前記制御部は、予め決められた第２の時間帯になった場合、該第２の時間帯とは異なる第１の時間帯の場合における前記切り替え時間間隔より、前記第２の時間帯の場合における前記切り替え時間間隔を長くすることを特徴とする。
【００２４】
本発明の一態様は、上記電子機器において、前記点灯させるモード報知用画素の切替順序の入力を受け付ける入力部と、前記制御部は、前記受け付けた点灯画素の切替順序に基づいて、前記点灯させるモード報知用画素を順次切り替えて表示するよう前記表示部を制御することを特徴とする。
【００２５】
本発明の一態様は、上記電子機器において、前記第１の時間帯と前記第２の時間帯との入力を受け付ける入力部と、前記制御部は、前記入力された第１の時間帯と第２の時間帯とに基づいて、前記点灯させる前記モード報知用画素の切り替え時間間隔を変更することを特徴とする。
【００２６】
本発明の一態様は、上記電子機器を備えることを特徴とする電子時計である。
【００２７】
本発明の一態様は、点灯可能なモード報知用画素であって、予め決められたモードであることを報知するモード報知用画素を複数有する表示部を備える電子機器が実行する表示制御方法であって、点灯させるモード報知用画素を異なる画素に順次切り替えて表示するよう前記表示部を制御する制御手順を有することを特徴とする表示制御方法である。
【００２８】
本発明の一態様は、点灯可能なモード報知用画素であって、予め決められたモードであることを報知するモード報知用画素を複数有する表示部を備える電子機器のコンピュータに、点灯させるモード報知用画素を異なる画素に順次切り替えて表示するよう前記表示部を制御する制御ステップを実行させるための表示制御プログラムである。
【発明の効果】
【００２９】
本発明によれば、ユーザに予め決められた動作モードにあることを認識させることができる。
【図面の簡単な説明】
【００３０】
【図１】第１の実施形態における電子時計のハードウェアの構成を示す概略ブロック図である。
【図２】表示部に表示される通常の表示形態Ｄ２１の一例を示した図である。
【図３】低消費電力モード下で発電量が第２の閾値以上で、かつ第１の閾値未満の場合における表示部の表示の遷移を示した図である。
【図４】低消費電力モード下で発電量が第３の閾値以上で、かつ第２の閾値未満の場合における表示部の表示の遷移を示した図である。
【図５】第１の実施形態における電子時計の制御部の処理の流れを示すフローチャートである。
【図６】第２の実施形態における電子時計のハードウェアの構成を示す概略ブロック図である。
【図７】第２の実施形態における電子時計の制御部の処理の流れを示すフローチャートである。
【図８】表示部に表示される通常の表示形態Ｄ８１の他の例を示した図である。
【図９】低消費電力モードにおける表示部の表示の遷移の一例を示した図である。
【発明を実施するための形態】
【００３１】
＜第１の実施形態＞
以下、本発明の実施形態について、図面を参照して詳細に説明する。図１は、第１の実施形態における電子時計１のハードウェアの構成を示す概略ブロック図である。電子時計１は、太陽電池１０と、充電回路１１と、二次電池１２と、検出部１３と、入力部２１と、発振部２２と、記憶部２３と、制御部３０と、表示部４２とを備える。
【００３２】
太陽電池１０は、自装置の外部から照射された光のエネルギーを電力に変換し、変換した電力を充電回路１１に供給する。
充電回路１１は、太陽電池１０から供給された電力を二次電池１２に蓄える。
二次電池１２は、充電回路１１により蓄えられた電力を制御部３０に供給する。
【００３３】
検出部１３は、太陽電池１０の発電量を検出し、検出した発電量を示す発電量情報を制御部３０に出力する。
また、入力部２１は、自時計の外部（例えば、自装置を操作するユーザ）から、点灯画素の切替順序の入力を受け付け、受け付けた点灯画素の切替順序が示す切替順序情報を制御部３０に出力する。
【００３４】
発振部２２は、予め決められた振動数で発振し、その振動数で振動する振動信号を制御部３０に供給する。
記憶部２３には、制御部３０が実行するためのプログラムが記憶されている。
【００３５】
続いて、制御部３０の処理の概要について説明する。制御部３０は、記憶部２３からプログラムを読み出し、読み出したプログラムを実行することにより、下記処理を実行する。制御部３０は、入力部２１から入力された切替順序情報に基づいて、点灯させるモード報知用画素を順次切り替えて表示するよう表示部４２を制御する。
また、制御部３０は、発振部２２から供給された振動信号に基づいて時刻を計測し、計測した時刻を示す時刻情報を表示部４２に出力し、表示部４２に時刻情報が示す時刻を表示させる。
【００３６】
表示部４２は、時計の表示に用いられる画素を有する。表示部４２は、時計の表示に用いられる画素を点灯することにより、制御部３０から入力された時刻情報が示す時刻を表示する。
また、表示部４２は、点灯可能なモード報知用画素を複数有する。これらのモード報知用画素は、予め決められたモード（例えば、低消費電力モード）であることを報知するために設けられているが、本発明はこれに限らず、時計の表示に用いられる画素をモード報知に用いてもよい。本実施形態では、表示部４２において、点灯可能な画素は、表示部４２の下側の外周部と表示部４２に向かって左上の外周部に位置する。
【００３７】
図２は、表示部４２に表示される通常の表示形態Ｄ２１の一例を示した図である。同図において、Ｘ軸方向を横方向、Ｙ軸方向を縦方向とする。また、Ｘ軸の正方向を右、Ｘ軸の負方向を左、Ｙ軸の正方向を上、Ｙ軸の負方向を下とする。また、図３、図４、図８および図９についても、座標と上下左右は同様とし、以下の図面での説明を省略する。
【００３８】
同図において、時刻を表示する画素領域Ｒ２１と、低消費電力モードを示す画素領域Ｒ２２と、低消費電力モードであることを報知するために設けられた低消費電力モード報知画素領域Ｒ２３とが示されている。ここで、低消費電力モードを示す画素領域Ｒ２２と、低消費電力モード報知画素領域Ｒ２３とを合わせて、告知マーク表示領域と称す。
【００３９】
同図において、黒色で塗りつぶされた画素が点灯している画素で、輪郭が黒で白抜きの画素が点灯していない画素である。
時刻を表示する画素領域Ｒ２１には、複数の時計表示用の画素が示されている。時刻を表示する画素領域Ｒ２１中では、この時計表示用の画素が点灯することにより、土曜日を示す「ＳＡＴ」と、時刻（午後１０時１３分４３秒）を示す「Ｐ１０：１３４３」と、日付（２０１１年１２月２４日）を示す「２０１１１２−２４」とが表示されていることが示されている。
【００４０】
低消費電力モードを示す画素領域Ｒ２２には、「ＰｏｗｅｒＳａｖｅ」という文字が輪郭が黒で白抜きの文字として表されている。これは、「ＰｏｗｅｒＳａｖｅ」という文字に相当する画素が点灯していないことを示している。
低消費電力モード報知画素領域Ｒ２３には、輪郭が黒で白抜きの正方形が横方向に並んでいる。これらの正方形のそれぞれは、低消費電力モードを報知するモード報知用画素を示している。同図において、モード報知用画素の全てが点灯していないことが示されている。
【００４１】
制御部３０は、検出部１３に太陽電池１０の発電量を予め決められた時間間隔（例えば、１秒間隔）で検出させる。制御部３０は、検出部１３から供給された発電量情報が示す発電量が予め定められた第１の閾値より大きい場合、表示部４２を通常の表示形態（例えば、図２の通常の表示形態Ｄ２）で表示させる。
具体的には、例えば、制御部３０は、時刻を表示する画素領域Ｒ２１において、時刻を表示するように画素を点灯し、告知マーク表示領域において画素を点灯しないように表示部４２を制御する。
【００４２】
図３は、低消費電力モード下で発電量が第２の閾値以上で、かつ第１の閾値未満の場合における表示部４２の表示の遷移を示した図である。同図において、ある時刻Ｔ１の表示部４２の表示例Ｐ３１と、ある時刻Ｔ１から１秒後の表示部４２の表示例Ｐ３２と、ある時刻Ｔ１から２秒後の表示部４２の表示例Ｐ３３と、ある時刻Ｔ１から３秒後の表示部４２の表示例Ｐ３４とが示されている。同図において、黒色で塗りつぶされた画素が点灯している画素である。
【００４３】
表示例Ｐ３１〜Ｐ３４に共通して、低消費電力モードを示す画素領域Ｒ２２では、「ＰｏｗｅｒＳａｖｅ」という文字に相当する画素が点灯していることが示されている。
また、表示例Ｐ３１において、画素領域Ｒ３１内の４つの画素が点灯していることが示されている。また、表示例Ｐ３２において、画素領域Ｒ３２内の４つの画素が点灯していることが示されている。表示例Ｐ３２において、点灯している４つの画素の左端の位置は、表示例Ｐ３１において点灯している４つの画素の左端の位置よりも右に１画素分ずれていることが示されている。
【００４４】
また、表示例Ｐ３３において、画素領域Ｒ３３内の４つの画素が点灯していることが示されている。表示例Ｐ３３において、点灯している４つの画素の左端の位置は、表示例Ｐ３２において点灯している４つの画素の左端の位置よりも更に右に１画素分ずれていることが示されている。
【００４５】
同様に、表示例Ｐ３４において、画素領域Ｒ３４内の４つの画素が点灯していることが示されている。表示例Ｐ３４において、点灯している４つの画素の左端の位置は、表示例Ｐ３３において点灯している４つの画素の左端の位置よりも更に右に１画素分ずれていることが示されている。
【００４６】
検出部１３から供給された電源電圧が予め定められた第２の閾値以上で第１の閾値未満の場合、図３の例では、制御部３０は、１秒毎に、点灯する４つの画素の位置を１画素ずつ表示部４２に向かって右にずらすよう表示部４２を制御する。
【００４７】
図４は、低消費電力モード下で発電量が第３の閾値以上で、かつ第２の閾値未満の場合における表示部４２の表示の遷移を示した図である。同図において、ある時刻Ｔ２の表示部４２の表示例Ｐ４１と、ある時刻Ｔ２から２秒後の表示部４２の表示例Ｐ４２と、ある時刻Ｔ２から４秒後の表示部４２の表示例Ｐ４３と、ある時刻Ｔ２から６秒後の表示部４２の表示例Ｐ４４とが示されている。同図において、黒色で塗りつぶされた画素が点灯している画素である。
【００４８】
表示例Ｐ４１〜Ｐ４４に共通して、低消費電力モードを示す画素領域Ｒ２２では、「ＰｏｗｅｒＳａｖｅ」という文字に相当する画素が点灯していることが示されている。
表示例Ｐ４１において、画素Ｄ４１が点灯していることが示されている。また、表示例Ｐ４２において、画素Ｄ４２が点灯していることが示されている。表示例Ｐ４２において点灯している画素Ｄ４２の位置は、表示例Ｐ４１において点灯している画素Ｄ４１の位置よりも右に１画素分ずれていることが示されている。
【００４９】
また、表示例Ｐ４３において、画素Ｄ４３が点灯していることが示されている。表示例Ｐ４３において、点灯している画素Ｄ４３の位置は、表示例Ｐ４２において点灯している画素Ｄ４２の位置よりも右に１画素分ずれていることが示されている。
更に、表示例Ｐ４４において、画素Ｄ４４が点灯していることが示されている。表示例Ｐ４４において点灯している画素Ｄ４４の位置は、表示例Ｐ４３において点灯している画素Ｄ４３の位置よりも右に１画素分ずれていることが示されている。
【００５０】
続いて、図３、図４を例にして、制御部３０の処理の詳細について説明する。
制御部３０は、低消費電力モードの場合、表示部４２に表示されている情報を消し、点灯するモード報知用画素を異なる画素に順次切り替えて表示するよう表示部４２を制御する。
【００５１】
より詳細には、制御部３０は、検出部１３により検出された太陽電池１０の発電量に基づいて、低消費電力モードであるか否かを判定する。具体的には、例えば、制御部３０は、検出部１３により検出された太陽電池１０の発電量が予め決められた第１の閾値（例えば、照度２００ルクスに相当する発電量）未満の場合、低消費電力モードと判定する。
制御部３０は、低消費電力モードであると判定した場合、表示部４２の予め決められた領域（例えば、図２の時刻を表示する画素領域Ｒ２１）の画素を消灯状態にする。
【００５２】
低消費電力モードに移行した際に、制御部３０は、低消費電力モードであることを報知するための告知マーク表示領域（例えば、図３の低消費電力モードを示す画素領域Ｒ２２と、低消費電力モード報知画素領域Ｒ２３）以外の表示画素を消灯し、モード報知用画素の一部の画素（例えば、図３の画素領域Ｒ３１の画素）を点灯させる。
【００５３】
低消費電力モード中は、制御部３０は、低消費電力モードであることを報知するために設けられたモード報知用画素を異なる画素に順次切り替えて表示するよう表示部４２を制御する。
【００５４】
また、制御部３０は、検出部１３により検出された発電量が予め決められ第２の所定値未満の場合には、発電量がその第２の所定値以上の場合に同時に点灯するモード報知用画素の数より、同時に点灯させるモード報知用画素の数を減らす。
具体的には、例えば、第２の所定値を第２の閾値とすると、制御部３０は、検出部１３から供給された発電量が予め決められた第２の閾値未満（但し、第３の閾値以上で、第３の閾値は第２の閾値より小さい）となった場合、同時に点灯させるモード報知用画素の数を４画素から１画素に減らす。これにより、制御部３０は、表示部４２における消費電力を削減することができる。
【００５５】
一方、制御部３０は、検出部１３により検出された発電量が第２の所定値以上の場合には、発電量が第２の所定値未満の場合に同時に点灯するモード報知用画素の数より、同時に点灯させるモード報知用画素の数を増やす。
具体的には、例えば、第２の所定値を第２の閾値とすると、制御部３０は、検出部１３から供給された発電量が予め定められた第２の閾値以上（但し、第１の閾値未満で、第１の閾値は第２の閾値より大きい）となった場合、同時に点灯させるモード報知用画素の数を１画素から４画素に増やす。
【００５６】
制御部３０は、検出部１３により検出された発電量に応じて、点灯させるモード報知用画素の切り替え時間間隔（以下、切替時間間隔と称する）を変更する。
より詳細には、制御部３０は、検出部１３により検出された発電量が予め決められた第２の所定値未満となった場合、発電量が第２の所定値以上の場合の切替時間間隔より、点灯させるモード報知用画素の切替時間間隔を長くする。
【００５７】
具体的には、例えば、制御部３０は、検出部１３から供給された発電量が予め決められた第２の閾値未満（但し、第３の閾値以上で、第３の閾値は第２の閾値より小さい）となった場合、点灯させる画素の切替時間間隔を１秒から２秒に長くする。これにより、制御部３０は、表示部４２における消費電力を削減することができる。
【００５８】
一方、制御部３０は、検出部１３により検出された発電量が第２の所定値以上になった場合、発電量が第２の所定値未満の場合の切替時間間隔より、点灯させるモード報知用画素の切替時間間隔を短くする。
具体的には、例えば、制御部３０は、検出部１３から供給された発電量が予め決められた第２の閾値以上（但し、第１の閾値未満で、第１の閾値は第２の閾値より大きい）となった場合、点灯させる画素の切替時間間隔を２秒から１秒に短くする。
【００５９】
制御部３０は、検出部１３により検出された発電量が予め定められた第３の所定値未満の場合、モード報知用画素を点灯していない状態にする。具体的には、例えば、制御部３０は、検出部１３から供給された発電量が予め定められた第３の閾値未満の場合、モード報知用画素を点灯していない状態にする。
【００６０】
すなわち、電子時計１は、周囲の照度を計測するために太陽電池１０を用いている。制御部３０は、太陽電池１０の発電量が第３の所定値未満の場合、制御部３０は、表示部４２に何も表示させない。これは、太陽電池１０の発電量が第３の所定値未満の場合、発電量がすくないことから自電子時計の周囲は暗く、自電子時計を操作するユーザが表示部４２を見ることができない。このときに、表示部４２を表示させることは、無駄に電力を消費することになるからである。
これにより、制御部３０は、表示部４２における消費電力を削減することができ、電子時計１を更に省電力化することができる。
【００６１】
図５は、第１の実施形態における電子時計１の制御部３０の処理の流れを示すフローチャートである。同図は、ある時刻から１秒後までの制御部３０の処理の流れを示すフローチャートである。
まず、制御部３０は、時間がある時刻から１秒経過したか否か判定する（ステップＳ１０１）。時間がある時刻から１秒経過していない場合（ステップＳ１０１  ＮＯ）、制御部３０はステップＳ１０１の判定に戻る。一方、時間がある時刻から１秒経過した場合（ステップＳ１０１  ＹＥＳ）、制御部３０は太陽電池１０の発電量を検出部１３に検出させる（ステップＳ１０２）。
【００６２】
次に、制御部３０は、発電量が第１の閾値以上か否か判定する（ステップＳ１０３）  。制御部３０は、発電量が第１の閾値以上の場合（ステップＳ１０３  ＹＥＳ）、表示部４２に通常通り時刻を表示させる（通常表示させる）。一方、発電量が第１の閾値未満の場合（ステップＳ１０３  ＮＯ）、制御部３０は低消費電力モードと判定し、時刻を表示する画素を消灯状態にする（ステップＳ１０５）。
【００６３】
次に、低消費電力モードにおいて、制御部３０は発電量が第２の閾値以上か否か判定する（ステップＳ１０６）。発電量が第２の閾値以上の場合（ステップＳ１０６  ＹＥＳ）、制御部３０は、同時に点灯させるモード報知用画素を４画像に、かつモード報知用画素の点灯の切替時間間隔を１秒にする（ステップＳ１０７）。一方、発電量が第２の閾値未満の場合（ステップＳ１０６  ＮＯ）、制御部３０は、発電量が第３の閾値以上か否か判定する（ステップＳ１０８）。
【００６４】
発電量が第３の閾値以上の場合（ステップＳ１０８  ＹＥＳ）、制御部３０は、同時に点灯させるモード報知用画素を１画像に、かつモード報知用画素の点灯の切替時間間隔を２秒にする（ステップＳ１０９）。一方、発電量が第３の閾値未満の場合（ステップＳ１０８  ＮＯ）、制御部３０は、表示部４２の画素を全て消灯している状態にする（ステップＳ１１０）。以上で、本フローチャートの処理を終了する。
【００６５】
以上、本実施形態における電子時計１は、点灯させるモード報知用画素を異なる画素に順次切り替えて表示する。また、電子時計１は、太陽電池１０の発電量を検出し、検出した発電量に応じて、同時に点灯させるモード報知用画素の数と、点灯させるモード報知用画素の切替時間間隔とを変更する。
【００６６】
これにより、第１の実施形態の電子時計１は、モード報知用画素を異なる画素に順次切り替えて表示するので、電子時計１を操作するユーザはモード報知用画素が動いているように見えるので、ユーザがそのモード報知用画素を認識しやすくすることができる。その結果、電子時計１は、ユーザに電子時計が低消費電力モードにあることを認識しやすくすことができ、ユーザが電子時計１を故障したと誤解する確率を減らすことができる。
【００６７】
また、電子時計１は、太陽電池１０の発電量が第２の閾値より下がった場合、同時に点灯させるモード報知用画素の数を減らし、点灯させるモード報知用画素の切替時間間隔を長くすることにより、表示部４２における消費電力を下げることができる。これにより、電子時計１の動作時間を延長することができる。
また、発電量が第３の閾値未満の場合（例えば、部屋の明かりを消灯した場合）には、制御部３０が表示部４２を消灯することにより、表示部４２における消費電力を削減することができる。
【００６８】
なお、本実施形態では、制御部３０は、発電量に基づいて、表示部４２の予め決められた領域の画素を消灯状態にする低消費電力モードに変更したが、これに限ったものではない。
制御部３０は、発電量が第１の所定値未満となってからの経過時間に基づいて、同時に点灯させるモード報知用画素の数を減らしてもよい。具体的には、例えば、制御部３０は、発電量が第１の所定値未満となった時間が、所定時間（例えば、１時間）継続した場合に、表示部４２の予め決められた領域の画素を消灯状態にする低消費電力モードに変更してもよい。
【００６９】
＜第２の実施形態＞
続いて、第２の実施形態における電子時計２について説明する。第１の実施形態の電子時計１は、低消費電力モード中に、発電量に応じて、同時に点灯させるモード報知用画素の数を減らし、点灯させるモード報知用画素の切替時間間隔を長くすることにより、表示部４２における消費電力を下げた。
それに対し、第２の実施形態の電子時計２は、低消費電力モード中に、時間帯に応じて同時に点灯させるモード報知用画素の数と、点灯させるモード報知用画素の切り替え時間間隔（以下、切替時間間隔と称す）とを変更する。これにより、電子時計２は、ユーザが電子時計２を見る頻度が高い時間帯において、ユーザに電子時計が低消費電力モードにあることを認識させることができる。
【００７０】
図６は、第２の実施形態における電子時計２のハードウェアの構成を示す概略ブロック図である。なお、図１の第１の実施形態における電子時計１と共通する要素には同一の符号を付し、その具体的な説明を省略する。図６の電子時計２の構成は、図１の電子時計１の構成に対して、入力部２１が入力部２１ｂに変更され、制御部３０が制御部３０ｂに変更されたものとなっている。
【００７１】
入力部２１ｂは、自時計の外部（例えば、自装置を操作するユーザ）から、点灯画素の切替順序の入力を受け付け、受け付けた点灯画素の切替順序の入力が示す切替順序情報を制御部３０ｂに出力する。
【００７２】
また、入力部２１ｂは、第１の時間帯と第２の時間帯との入力を受け付け、受け付けた第１の時間帯を示す第１の時間帯情報と、第２の時間帯を示す第２の時間帯情報とを制御部３０ｂに出力する。これにより、ユーザは第１の時間帯と第２の時間帯を設定することができるので、制御部３０ｂはユーザの生活態様に合わせて、低消費電力モードにおける表示のさせ方を変更することができる。
【００７３】
制御部３０ｂは、入力部２１ｂから入力された切替順序情報に基づいて、点灯させるモード報知用画素を順次切り替えて表示するよう表示部４２を制御する。
制御部３０ｂは、入力部２１ｂから入力された第１の時間帯情報が示す第１の時間帯と第２の時間帯情報が示す第２の時間帯とに基づいて、点灯させるモード報知用画素の切替時間間隔を変更する。
【００７４】
制御部３０ｂは、発振部２２から供給された振動信号に基づいて現在の時刻を計測する。制御部３０ｂは、計測した時刻に応じて、同時に点灯させる前記モード報知用画素の数を変更する。より詳細には、制御部３０ｂは、予め決められた第２の時間帯になった場合、その第２の時間帯とは異なる第１の時間帯の場合におけるモード報知用画素の数より、第２の時間帯の場合におけるモード報知用画素を少なくする。
【００７５】
具体的には、例えば、制御部３０ｂは、第１の時間帯（例えば、５時から２４時の間）で、図３に示すように、低消費電力モード報知画素領域Ｒ２３において同時に点灯させるモード報知用画素を４画素にする。一方、制御部３０ｂは、第２の時間帯（例えば、０時から２時の間）で、図４に示すように、低消費電力モード報知画素領域Ｒ２３において同時に点灯させるモード報知用画素を１画素にする。
【００７６】
また、制御部３０ｂは、計測した時刻に応じて、点灯させるモード報知用画素の切替時間間隔を変更する。より詳細には、制御部３０ｂは、予め決められた第２の時間帯になった場合、その第２の時間帯とは異なる第１の時間帯の場合における切り替え時間間隔より、第２の時間帯の場合における前記切り替え時間間隔を長くする。
【００７７】
具体的には、例えば、制御部３０ｂは、第１の時間帯（例えば、５時から２４時の間）で、図３に示すように、低消費電力モード報知画素領域Ｒ２３において点灯させるモード報知用画素の切替時間間隔を１秒にする。一方、例えば、制御部３０ｂは、第２の時間帯（例えば、０時から２時の間）で、図４に示すように、低消費電力モード報知画素領域Ｒ２３において点灯させるモード報知用画素の切替時間間隔を、第１の時間帯の場合における切替時間間隔より長い２秒に変更する。
【００７８】
図７は、第２の実施形態における電子時計２の制御部３０ｂの処理の流れを示すフローチャートである。ステップＳ２０１からステップＳ２０５までの処理は、図５のステップＳ１０１からステップＳ１０５までの処理と同一であるので、その説明を省略する。
次に、低消費電力モード下において、制御部３０ｂは、現在の時刻が第１の時間帯に入っているか否か判定する（ステップＳ２０６）。
【００７９】
現在の時刻が第１の時間帯に入っている場合（ステップＳ２０６  ＹＥＳ）、制御部３０ｂは、同時に点灯させるモード報知用画素を４画素に、かつモード報知用画素の点灯の切替時間間隔を１秒にする（ステップＳ２０７）。一方、現在の時刻が第１の時間帯に入っていない場合（ステップＳ２０６  ＮＯ）、制御部３０ｂは、現在の時刻が第２の時間帯に入っているか否か判定する（ステップＳ２０８）。
【００８０】
現在の時刻が第２の時間帯に入っている場合（ステップＳ２０８  ＹＥＳ）、制御部３０ｂは、同時に点灯させるモード報知用画素を１画素に、かつモード報知用画素の点灯の切替時間間隔を２秒にする（ステップＳ２０９）。一方、現在の時刻が第２の時間帯に入っていない場合（ステップＳ２０８  ＮＯ）、制御部３０ｂは、表示部４２の画素を全て消灯している状態にする（ステップＳ２１０）。以上で、本フローチャートの処理を終了する。
【００８１】
以上、第２の実施形態の電子時計２は、モード報知用画素を異なる画素に順次切り替えて表示するので、電子時計２を操作するユーザはモード報知用画素が動いているように見えるので、ユーザがそのモード報知用画素を認識しやすくすることができる。その結果、電子時計２は、ユーザに電子時計が低消費電力モードにあることを認識しやすくすることができ、ユーザが電子時計２を故障したと誤解する確率を減らすことができる。
【００８２】
また、第２の実施形態の電子時計２は、低消費電力モード中に、時間帯に応じて同時に点灯させるモード報知用画素の数と、点灯させるモード報知用画素の切替時間間隔とを変更する。
これにより、ユーザが電子時計を見る頻度が高いユーザの活動時間帯（例えば、５時から２４時の間）には、制御部３０ｂが同時に点灯させるモード報知用画素の数を多くして、点灯させるモード報知用画素の切替時間間隔を長くすることにより、ユーザに電子時計が低消費電力モードにあることを認識させやすくすることができる。
【００８３】
一方、ユーザが電子時計２を見る頻度が低い夜間の時間帯（例えば、０時から２時の間）には、制御部３０ｂが同時に点灯させるモード報知用画素の数を少なくして、点灯させるモード報知用画素の切替時間間隔を短くすることにより、表示部４２における消費電力を削減することができる。
また、ユーザが電子時計２を見ない深夜の時間帯（例えば、２時から５時の間）には、制御部３０ｂが表示部４２を消灯することにより、表示部４２における消費電力を削減することができる。
【００８４】
なお、本実施形態における電子時計（１、２）は、横方向にモード報知用画素の位置が移動するように表示したが、これに限らす、縦方向に移動するように表示してもよい。
また、電子時計（１、２）は、時計表示用画素のうちの画素を順次切り替えて点灯させてもよい。さらに、電子時計（１、２）は、時計表示用画素とモード報知用画素とを順次切り替えて点灯させてもよい。
【００８５】
本実施形態の電子時計（１，２）は、低消費電力モードであることを報知するために設けられた点灯可能なモード報知用画素は、表示部４２の外周部に位置するようにしたが、これに限ったものではない。モード報知用画素は、表示部の外周部および中央部に位置してもよい。
【００８６】
ここで、モード報知用画素が、表示部４２の外周部および中央部に位置する具体例を図８に示す。
図８は、表示部４２に表示される通常の表示形態Ｄ８１の他の例を示した図である。同図において、画素領域Ｒ８１、画素領域Ｒ８２および画素領域Ｒ８３は、全て低消費電力モードであることを報知するために設けられたモード報知用画素である。
【００８７】
その場合、制御部（３０、３０ｂ）は、表示部４２の外周部に位置するモード報知用画素（例えば、図８の画素領域Ｒ８１の画素または画素領域Ｒ８３の画素）と表示部４２の中央部に位置するモード報知用画素（例えば、図８の画素領域Ｒ８２の画素）とを順次切り替えて点灯させてもよい。
具体的には、例えば、制御部（３０、３０ｂ）は、図９に示す順でモード報知用画素を順次切り替えて点灯させてもよい。
【００８８】
図９は、低消費電力モードにおける表示部４２の表示の遷移の一例を示した図である。同図において、表示部４２に表示例Ｐ９１から表示例Ｐ９６までが順番に表示されることが示されている。同図において、黒色で塗りつぶされた画素が点灯している画素で、輪郭が黒で白抜きの画素が点灯していない画素である。同図において表示例Ｐ９１、Ｐ９２、Ｐ９３、Ｐ９４，Ｐ９５およびＰ９６において、それぞれ画素Ｄ９１、Ｄ９２、Ｄ９３、Ｄ９４，Ｄ９５およびＤ９６が点灯していることが示されている。
【００８９】
ここで、図９の例において、制御部（３０、３０ｂ）による点灯制御の一例を説明する。まず、制御部（３０、３０ｂ）は、表示例Ｐ９１における画素Ｄ９１が点灯させ、１秒後に画素Ｄ９１を消灯し、表示例Ｐ９２における画素Ｄ９２を点灯させる。更に１秒後に、制御部（３０、３０ｂ）は、画素Ｄ９２を消灯し、表示例Ｐ９３における画素Ｄ９３を点灯させる。
【００９０】
更に１秒後に、制御部（３０、３０ｂ）は、画素Ｄ９３を消灯し、表示例Ｐ９４における画素Ｄ９４を点灯させる。更に１秒後に、制御部（３０、３０ｂ）は、画素Ｄ９４を消灯し、表示例Ｐ９５における画素Ｄ９５を点灯させる。更に１秒後に、制御部（３０、３０ｂ）は、画素Ｄ９５を消灯し、表示例Ｐ９６における画素Ｄ９６を点灯させる。更に１秒後に、制御部（３０、３０ｂ）は、画素Ｄ９６を消灯し、表示例Ｐ９１における画素Ｄ９１を点灯させる。以下、制御部（３０、３０ｂ）は同様の処理を繰り返す。
【００９１】
これにより、制御部（３０、３０ｂ）は、モード報知用画素の点灯箇所を切り替えることにより、×印を描くようにモード報知用画素を移動させることができる。その結果、モード報知用画素の動きが大きいので、その動きを見たユーザに電子時計（１、２）が低消費電力モードにあることを容易に認識させることができる。
【００９２】
なお、制御部（３０、３０ｂ）は、発電量が第３の閾値以下で、第３の時間帯（例えば、２時から５時）であった場合に、表示部４２の画素を全て消すようにしてもよい。これにより、電子時計１は、間違って表示部４２の画素を全て消すということがなくなるという効果が得られる。
【００９３】
本発明の実施形態では、太陽電池１０の発電量が第１の閾値未満となった場合、制御部（３０、３０ｂ）は低消費電力モードと判定したが、これに限ったものではない。制御部（３０、３０ｂ）による低消費電力モードの判定は、二次電池１２の電圧が予め決められた閾値電圧より下がったときでもよい。
また、電子時計（１，２）は、制御部３０に電源を供給する一次電池を備える場合、制御部（３０、３０ｂ）による低消費電力モードの判定は、一次電池の電圧が予め決められた閾値電圧より下がったときでもよい。
【００９４】
なお、本実施形態における表示部４２は、点灯可能な画素を低消費電力モードであることを報知するために設けたが、これに限らず、予め決められたモードを報知するために設けてもよい。
また、本実施形態では、電子時計を例に説明したが、電子時計に限ったものではない。予め決められたモードであることを報知するために設けられた点灯可能なモード報知用画素を複数有する表示部４２と、点灯させるモード報知用画素を異なる画素に順次切り替えて表示するよう表示部を制御する制御部３０と、を備える電子機器であればよい。電子機器は、例えば、歩行計である。このような構成をとることにより、電子機器はユーザに予め決められた動作モードにあることを認識させることができる。
【００９５】
また、電子機器が加速度を計測する加速度センサを備える歩行計の場合、制御部（３０、３０ｂ）による低消費電力モードの判定は、加速度センサの値が予め決められた閾値より下がったときでも、加速度センサの値が予め決められた閾値より下がった時刻から所定の時間（例えば、３分）経過した場合でもよい。これは。加速度の値が閾値より小さいときには歩行計を持っているユーザが歩いていないとみなせるからである。制御部（３０、３０ｂ）は、そのときに低消費電力モードにすることにより、表示部４２における電力の消費を低減することができる。
【００９６】
また、本実施形態の電子時計（１、２）の各処理を実行するためのプログラムをコンピュータ読み取り可能な記録媒体に記録して、当該記録媒体に記録されたプログラムをコンピュータシステムに読み込ませ、実行することにより、電子時計（１、２）に係る上述した種々の処理を行ってもよい。
【００９７】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９９】
以上、本発明の実施形態について図面を参照して詳述したが、具体的な構成はこの実施形態に限られるものではなく、この発明の要旨を逸脱しない範囲の設計等も含まれる。
【符号の説明】
【０１００】
１、２  電子時計
１０  太陽電池
１１  充電回路
１２  二次電池
１３  検出部
２１、２１ｂ  入力部
２２  発振部
２３  記憶部
３０、３０ｂ  制御部
４２  表示部
【図３】
2013024830.tif 000003
【図４】
2013024830.tif 000004
【図５】
2013024830.tif 000005
【図６】
2013024830.tif 000006
【図７】
2013024830.tif 000007
【図８】
2013024830.tif 000008
【図９】
2013024830.tif 000009
【図１】
2013024830.tif 000010
【図２】
2013024830.tif 000011